(57)【要約】【課題】  弾性及びコスト節減効果を達成する吸収体を提供する。【解決手段】  吸収体はパンツ体１を形成する。パンツ体１は、上端に腰部開口１１を有し、下端には一対の腿部開口１２を有する。パンツ体１は、片体１３と複数の弾性布１４を組合せて構成される。片体１３は、前ウエスト部１３１、後ウエスト部１３２、底部１３３を有する。底部１３３は、前ウエスト部１３１と後ウエスト部１３２との間に位置する。複数の弾性布１４は、前ウエスト部１３１の両側端、及び後ウエスト部１３２の両側端に接合される。弾性布１４は複数の切離し線１４１を有する。前ウエスト部１３１の弾性布１４の両側端は後ウエスト部１３２の弾性布１４の両側端にそれぞれ接合される。弾性布１４をオムツの両側辺に設置することで、弾性効果を達成し、コストを節減することもできる。【選択図】  図１
0003200527.tif 000002
【実用新案登録請求の範囲】
【請求項１】
吸収体であって、パンツ体を形成し、
前記パンツ体は上端に、腰部開口を有し、且つ下端には、一対の腿部開口を有し、前記パンツ体は、片体と複数の弾性布を組合せて構成され、
前記片体は、前ウエスト部、後ウエスト部、及び底部を有し、前記底部は、前ウエスト部と後ウエスト部との間に位置し、
前記複数の弾性布は、前ウエスト部の両側端、及び後ウエスト部の両側端に接合され、
前記弾性布は、複数の切離し線を有し、
前記前ウエスト部両側端の弾性布は、前記後ウエスト部両側端の弾性布にそれぞれ接合され、これにより前記前ウエスト部及び前記後ウエスト部の上端には、腰部開口を形成し、及び前記前ウエスト部、前記後ウエスト部及び前記底部の間の下端両側には、前記一対の腿部開口をそれぞれ形成することを特徴とする吸収体。
【請求項２】
前記前ウエスト部より前記後ウエスト部に行き渡り、前記片体上に取り付けられる吸収パッド体をさらに有することを特徴とする請求項１に記載の吸収体。
【請求項３】
前記片体は、第一接合部を有し、
前記弾性布は、前記第一接合部に対応する第二接合部を有し、
これにより、前記片体と前記弾性布とは、高周波熱溶融方式により相互に接合されることを特徴とする請求項１に記載の吸収体。
【請求項４】
前記複数の弾性布は、高周波熱溶融方式により、前記前ウエスト部の両側端、及び前記後ウエスト部の両側端に接合され、
前記前ウエスト部両側端に接合される弾性布は、高周波熱溶融方式により、前記後ウエスト部両側端の弾性布にそれぞれ接合され、第三接合部を形成することを特徴とする請求項３に記載の吸収体。
【請求項５】
前記片体は、樹脂膜と不織布の積層体であることを特徴とする請求項１に記載の吸収体。
【請求項６】
吸収体であって、パンツ体を形成し、
前記パンツ体は上端に、腰部開口を有し、且つ下端には、一対の腿部開口を有し、
前記パンツ体は、片体と複数の弾性布を組合せて構成され、
前記片体は、前ウエスト部、後ウエスト部、及び底部を有し、前記底部は、前ウエスト部と後ウエスト部との間に位置し、
前記複数の弾性布は、前記前ウエスト部の両側端、及び前記後ウエスト部の両側端に接合され、前記弾性布は、複数の切離し線を有し、
前記前ウエスト部両側端の弾性布は、前記後ウエスト部両側端の弾性布にそれぞれ接合され、これにより前記前ウエスト部及び前記後ウエスト部の上端には、腰部開口を形成し、及び前記前ウエスト部、前記後ウエスト部及び前記底部の間の下端両側には、前記一対の腿部開口をそれぞれ形成し、
前記前ウエスト部或いは前記後ウエスト部に設置される差し入れ口を有することを特徴とする吸収体。
【考案の詳細な説明】
【技術分野】
【０００１】
本考案は吸収体に関し、特に弾性布を有するオムツとして使用される吸収体に関する。
【背景技術】
【０００２】
「オムツ」は通常、自らをコントロールできない嬰児、高齢者、さらには精神異常者、或いは認知症患者等に用いられ、着用者の排泄物を吸収するものである。
【０００３】
中でも、人体への着用の便を図るため、パンツ型に設計した紙オムツがある。
これにより、紙オムツを開かなくとも、使用者の臀部四周から持ち上げることで、紙オムツと使用者の身体構造とをフィットさせることができる。
パンツ型紙オムツは、固定式紙オムツに比べ、粘着固定部、或いは背骨に密着させる材料などが不要で、さらにパンツ型紙オムツには腰部四周が快適であるという長所をも備える。
【０００４】
さらには、近年ペットブームであるが、ペットを連れて外出する際のペットの排泄物は、飼主の頭痛のタネとなっている。
一般には、飼主は外出時に新聞紙とビニール袋を持参し、ペットの外での大便時には、新聞紙、ビニール袋に加え、適当な道具を用い、ペットの排泄物を処理している。
けれども、飼主が新聞紙とビニール袋を忘れ、或いは手元に適した道具がなければ、ペットの排泄物を処理できず、ペットの排泄物は環境を汚染してしまう。
【０００５】
従来のパンツ型オムツには、特許文献１の「パンツ型使い捨てオムツ」がある。
特許文献１に示すとおり、該パンツ型使い捨てオムツは、オムツの股下部を、着用者の鼠蹊部に密着させ、オムツの股下部の見た目をフラットにすることができる。
該パンツ型使い捨てオムツは、腰開口部、及び一対のの腿開口部を有する。
オムツの展開状態において、長い方向前側部の摺翼部の下端縁と後側部の摺翼部の下端縁との間の距離は、２１０〜２８０ｍｍに設定する。
また、オムツの長い方向中央部付近の最小幅部の幅は、５０〜１６０ｍｍに設定する。
【先行技術文献】
【特許文献】
【０００６】
【特許文献１】中華民国特許公告Ｉ４０５５６３号明細書
【考案の概要】
【考案が解決しようとする課題】
【０００７】
前記先行技術に関する説明で分かるとおり、ウエスト開口部の周囲全体に、弾性構造を設置するため、使用者がオムツを着用する時には、腰開口部全体に弾性が働くため、力を加減してウエスト開口部の大きさを調整するのが難しく、且つ腰開口部及び腿開口部は比較的密着するように幅が設計されているため、締め付け圧力があり、使用者に圧迫による不快感を与え、皮膚が赤く腫れるなどの症状を引き起こしてしまう欠点がある。
【課題を解決するための手段】
【０００８】
本考案は弾性を備える従来構造の効果を達成できる他、オムツの広い面積に弾性構造を使用することで生まれていたコストを削減できる吸収体に関する。
【０００９】
本考案による吸収体は、パンツ体を形成する。
該パンツ体は上端に、腰部開口を有し、且つ下端には、一対の腿部開口を有する。
該パンツ体は、片体と複数の弾性布を組合せて構成される。
該片体は、前ウエスト部、後ウエスト部、及び底部を有する。
該底部は、前ウエスト部と後ウエスト部との間に位置する。
該複数の弾性布は、前ウエスト部の両側端、及び後ウエスト部の両側端に接合される。
該弾性布は、複数の切離し線を有する。
該前ウエスト部両側端の弾性布は、該後ウエスト部両側端の弾性布にそれぞれ接合され、これにより該前ウエスト部及び該後ウエスト部の上端には、腰部開口を形成し、及び該前ウエスト部、該後ウエスト部及び該底部の間の下端両側には、一対の腿部開口をそれぞれ形成する。
【００１０】
本考案による吸収体は、吸収パッド体をさらに有する。該吸収パッド体は、該前ウエスト部より該後ウエスト部に行き渡り、該片体上に取り付けられる。
【００１１】
本考案による吸収体は、片体をさらに有する。
該片体は、第一接合部を有する。
該弾性布は、該第一接合部に対応する第二接合部を有する。
これにより、該片体と該弾性布とは、高周波熱溶融方式により相互に接合される。
【００１２】
本考案による吸収体は、複数の弾性布をさらに有する。
該複数の弾性布は、高周波熱溶融方式により、該前ウエスト部の両側端及び該後ウエスト部の弾性布両側端に接合され、該前ウエスト部両側端に接合される弾性布は、高周波熱溶融方式により、該後ウエスト部両側端の弾性布にそれぞれ接合され、第三接合部を形成する。
【００１３】
本考案による吸収体は、片体をさらに有する。
該片体は、樹脂膜と不織布の積層体である。
【００１４】
本考案によるもう一つの吸収体は、パンツ体を形成する。
該パンツ体は上端に、腰部開口を有し、且つ下端には、一対の腿部開口を有する。
該パンツ体は、片体と複数の弾性布を組合せて構成される。
該片体は、前ウエスト部、後ウエスト部、及び底部を有する。
該底部は、前ウエスト部と後ウエスト部との間に位置する。
該複数の弾性布は、前ウエスト部の両側端、及び後ウエスト部の両側端に接合される。
該弾性布は、複数の切離し線を有する。
該前ウエスト部両側端の弾性布は、該後ウエスト部両側端の弾性布にそれぞれ接合され、これにより該前ウエスト部及び該後ウエスト部の上端には、腰部開口を形成し、及び該前ウエスト部、該後ウエスト部及び該底部の間の下端両側には、一対の腿部開口をそれぞれ形成する。
差し入れ口をさらに有する。該差し入れ口は、該前ウエスト部或いは該後ウエスト部に設置される。
【００１５】
本考案の吸収体を応用する特徴は、以下のとおりである。
（１）本考案の吸収体は、局部に弾性布を接合することで、従来のオムツが大面積に弾性構造を使用するため起きていた高コストを効果的に改善でき、効果的にコストを引き下げることができる。
（２）本考案の吸収体は、局部に弾性布を接合し、従来の構造で大面積に弾性構造を使用することで起きていた腹部締め付け感を改善することができる。こうして、弾性構造による腹部を締め付ける不快感、弾性構造の締め付け力が強過ぎることで、使用者の皮膚が赤く腫れる状況を軽減することができる。
（３）本考案の吸収体はウエスト局部にのみ弾性布を設置することで、使用者はオムツを着用する際に、力を加減し、ウエスト開口部の大きさをコントロールし易くなり、使用者の着用の便を向上させられる。
（４）本考案の吸収体はペットに適用でき、差し入れ口からペットの尻尾を通して出すことで、オムツとペットの身体の形とをよりフィットさせることができる。
（５）本考案の吸収体により、飼主は外出時に、ペットの大小便問題を心配し、ペットの排泄物処理のための道具を形態する必要がなくなり、環境汚染の恐れを低下させることができる。
【図面の簡単な説明】
【００１６】
【図１】本考案第一実施形態による吸収体の立体図である。
【図２】本考案第一実施形態による吸収体の平面分解図である。
【図３】本考案第一実施形態による吸収体の平面組合せ図である。
【図４】本考案第一実施形態の弾性布高周波熱溶融接合後の状態図である。
【図５】本考案第一実施形態による吸収体の使用模式図である。
【図６】本考案第二実施形態による吸収体の構造図である。
【図７】本考案第三実施形態による吸収体の構造図である。
【図８】本考案第三実施形態による吸収体の使用模式図である。
【考案を実施するための形態】
【００１７】
（第一実施形態）
本考案の吸収体の第一実施形態は、図１に示すとおり、パンツ体１を形成する。
パンツ体１は上端に、腰部開口１１を有し、且つ下端には、一対の腿部開口１２を有する。
パンツ体１は、片体１３と複数の弾性布１４を組合せて構成される。
【００１８】
図２及び図３に示すとおり、パンツ体１を展開して平面状態とする。
片体１３は、前ウエスト部１３１、後ウエスト部１３２、及び底部１３３を有する。
底部１３３は、前ウエスト部１３１と後ウエスト部１３２との間に位置する。
吸収パッド体１３４をさらに有し、前ウエスト部１３１より後ウエスト部１３２に行き渡り、片体１３上に取り付けられる。
【００１９】
図３及び図４に示すとおり、弾性布１４は、前ウエスト部１３１の両側端、及び後ウエスト部１３２の両側端に接合される。
片体１３は、第一接合部１３５を有する。
弾性布１４は、第一接合部１３５に対応する第二接合部１４２を有する。
これにより、片体１３と弾性布１４とは、高周波熱溶融方式により相互に接合される。本実施形態では、高周波熱溶融方式により接合するが、これに制限されるものではなく、粘着方式による接合とすることもできる。
【００２０】
複数の弾性布１４は、高周波熱溶融方式により、前ウエスト部１３１の両側端、及び後ウエスト部１３２の両側端に接合される。
底部１３３により湾曲され、前ウエスト部１３１両側端に接合される弾性布１４は、高周波熱溶融方式により、後ウエスト部１３２両側端の弾性布１４にそれぞれ接合される。
こうして、弾性布１４は両方が接合され、パンツ体１の両側を形成し、第三接合部１４３を形成する。
第三接合部１４３は、高周波熱溶融接合位置である。第三接合部１４３の成形状態は、図１に示すとおりである。図３及び図４中の第三接合部１４３は左へと折った平面状態を示す。
【００２１】
これにより、前ウエスト部１３１及び後ウエスト部１３２の上端には、腰部開口１１を形成し、及び前ウエスト部１３１、後ウエスト部１３２と底部１３３との間の下端両側には、それぞれ一対の腿部開口１２を形成する。
弾性布１４は、複数の切離し線１４１を有し、切離し線１４１により、パンツ体１を便利に開くことができる。
【００２２】
片体１３は、樹脂膜と不織布の積層体で、片体１３は、最外層の樹脂膜及び二層の織布層により組成される。
吸収パッド体１３４は、吸水パッド体、コットン層、及び吸水力が超強力な高分子材料（ＳｕｐｅｒＡｂｓｏｒｂｅｎｔ  Ｐｏｌｙｍｅｒ、ＳＡＰと略称）を結合させて共同で組成される。
片体１３及び吸収パッド体１３４の組成成分により、液体吸着の効果を達成し、且つ片体１３の両側辺には、漏れ防止構造（従来の技術であるため、図示なし）を設置する。
吸収パッド体１３４により、汚物を吸収する。
【００２３】
使用の状況は、図５に示す。
使用者Ａが腿を腿部開口１２に通すと、パンツ体１は身体上に着用されるが、続いて使用者Ａの臀部四周に力を加え上へ引き上げる。
これにより、パンツ体１と使用者Ａの身体の形とは密着して一致し、腰部開口１１は窄まって使用者Ａの腰部に密着固定する。
弾性布１４は弾性繊維などで、弾性布１４そのものの弾性を利用し、使用者Ａ身体両側の骨盤部位を締める。
局部位置だけを締めるため、使用者のウエスト全体を締め付ける不快感は生じず、及び弾性構造の締め付け力が強過ぎ赤く腫れるなどの欠点が生じることはない。
パンツ体１を交換する時には、引き離せば、パンツ体１を引き開くことができる。
【００２４】
（第二実施形態）
図６に示すとおり、本考案の第二実施形態によるパンツ体１Ａは、片体１３Ａ及び複数の弾性布１４Ａにより組合せ構成される。
片体１３Ａは、前ウエスト部１３１Ａ、後ウエスト部１３２Ａ、底部１３３Ａ及び吸収パッド体１３４Ａを有する。なお、該弾性布１４Ａと該前ウエスト部１３１Ａ及び該後ウエスト部１３２Ａの接合と使用方式、及び該片体１３Ａと該吸収パッド体１３４Ａの組成構造は、第一実施形態と相同であるため、ここでは詳述しない。
【００２５】
パンツ体１Ａは、第一接合部１３５Ａ及び第二接合部１４２Ａに接合する弾性布１４Ａが弾性を有する他、前ウエスト部１３１Ａ或いは／及び後ウエスト部１３２Ａの一部に、弾性材質を有する布を設置する。本実施形態において、前ウエスト部１３１Ａ及び後ウエスト部１３２Ａの一部の位置には、弾性材質を有する布を設置するが、これに制限されるものではなく、前ウエスト部１３１Ａ或いは後ウエスト部１３２Ａの任意の一部の位置に、弾性材質を有する布を設置することもできる。
この構成により、ウエスト開口部全体に弾性構造を使用するため腹部を締め付ける不快感を招き、及び弾性構造の締め付け力が強過ぎることで、使用者の皮膚が赤く腫れる従来のオムツの欠点を回避することができる。
且つ、前ウエスト部１３１Ａ或いは／及び後ウエスト部１３２Ａの局部だけに、弾性布１４Ａを設置することで、大面積に弾性構造を使用するため従来の構造におけるコストを節減できる他、弾性と着用時の快適性を向上させることができる。
弾性布１４Ａは、複数の切離し線１４１Ａを有する。
切離し線１４１Ａにより、パンツ体１Ａは切り開き易くなる。
【００２６】
（第三実施形態）
図７及び図８に示すとおり、本考案の第三実施形態によるパンツ体１Ｂは、ペットＢに使用する。
パンツ体１Ｂ上端には、腰部開口１１Ｂを有し、且つ下端には、一対の腿部開口１２Ｂを有する。
パンツ体１Ｂは、片体１３Ｂ及び複数の弾性布１４Ｂにより組合せ構成される。
片体１３Ｂは、前ウエスト部１３１Ｂ、後ウエスト部１３２Ｂ、底部１３３Ｂ及び吸収パッド体１３４Ｂを有する。なお、弾性布１４Ｂと前ウエスト部１３１Ｂ及び後ウエスト部１３２Ｂの接合と使用方式、及び片体１３Ｂと吸収パッド体１３４Ｂの組成構造は、第一実施形態と相同であるため、ここでは詳述しない。
【００２７】
第一接合部１３５Ｂ及び第二接合部１４２Ｂに接合する弾性布１４Ｂは弾性を有することが好ましい他、前ウエスト部１３１Ｂ或いは／及び後ウエスト部１３２Ｂの局部には、弾性材質を有する布を有する。本実施形態において、前ウエスト部１３１Ｂ及び後ウエスト部１３２Ｂの一部の位置には、弾性材質を有する布を設置するが、これに制限されるものではなく、前ウエスト部１３１Ｂ或いは後ウエスト部１３２Ｂの任意の一部の位置にも、弾性材質を有する布を設置する。
これにより、パンツ体１ＢとペットＢとのフィット感を高める他、ペットＢのパンツ体１Ｂ着用時の不快感を低下させることができる。
弾性布１４Ｂは、複数の切離し線１４１Ｂをさらに有する。
切離し線１４１Ｂにより、パンツ体１Ｂは切り開き易くなる。
【００２８】
パンツ体１Ｂは、差し入れ口１５Ｂを有し、前ウエスト部１３１Ｂ或いは後ウエスト部１３２Ｂ（本実施形態において、差し入れ口１５Ｂは、後ウエスト部１３２Ｂに設置されるが、これに制限されるものではなく、差し入れ口１５Ｂは前ウエスト部１３１Ｂに設置することもできる）に設置し、これによりペットＢの尻尾Ｂ１を通して出すことができる。
【００２９】
使用時には、ペットＢの後腿を腿部開口１２Ｂに通し、パンツ体１ＢをペットＢの身体上に履かせる。
続いて、ペットＢの臀部四周から力を入れて上に上げ、パンツ体１ＢとペットＢの身体の形とをフィットさせる。
これにより、腰部開口１１ＢはペットＢの腰部に密着して固定される。
弾性布１４Ｂは弾性繊維などで、弾性布１４Ｂそのものの弾性を利用し、ペットＢ身体の両側骨盤の部位を締める。
一方、ペットＢの尻尾Ｂ１は、差し入れ口１５Ｂから通し、パンツ体１Ｂとペットの身体のとをよりフィットさせ、汚物の露出の恐れを払拭する。
パンツ体１Ｂを交換する際には、同様に切離し線１４１に沿って切り開くだけ、パンツ体１Ｂを切り離すことができる。
こうして、飼主は外出時にペットの大小便の問題を心配する必要がなくなり、ペットの排泄物を処理するための道具を携帯する必要もなくなる。
よって、環境汚染の恐れを低下させることができる。
【００３０】
前述した本考案の実施形態は本考案を限定するものではなく、よって、本考案により保護される範囲は実用新案登録請求の範囲を基準とする。
【符号の説明】
【００３１】
１、１Ａ、１Ｂ  パンツ体、
１１、１１Ｂ  腰部開口、
１２、１２Ｂ  腿部開口、
１３、１３Ａ、１３Ｂ  片体、
１３１、１３１Ａ、１３１Ｂ  前ウエスト部、
１３２、１３２Ａ、１３２Ｂ  後ウエスト部、
１３３、１３３Ａ、１３３Ｂ  底部、
１３４、１３４Ａ、１３４Ｂ  吸収パッド体、
１３５、１３５Ａ、１３５Ｂ  第一接合部、
１４、１４Ａ、１４Ｂ  弾性布、
１４１、１４１Ａ、１４１Ｂ  切離し線、
１４２、１４２Ａ、１４２Ｂ  第二接合部、
１４３、１４３Ｂ  第三接合部、
１５Ｂ  差し入れ口、
Ａ  使用者、
Ｂ  ペット、
Ｂ１  ペット尻尾。
【図１】
0003200527.tif 000003
【図２】
0003200527.tif 000004
【図３】
0003200527.tif 000005
【図４】
0003200527.tif 000006
【図５】
0003200527.tif 000007
【図６】
0003200527.tif 000008
【図７】
0003200527.tif 000009
【図８】
0003200527.tif 000010